(57)【特許請求の範囲】
【請求項１】
通信先に対して選択信号を送信した後一定時間以内に該通信先との間にファクシミリ通信が確立できなかったことを検出する検出手段と、
前記検出手段により前記ファクシミリ通信が確立できなかったことを検出した場合は、前記通信先からの応答待ち状態となり、前記通信先との通信のみを受け付ける通信状態で前記通信回線の状態の検知を行う検知手段と
を具備し、
前記検知手段は、
前記通信回線の電圧の確認を行う電圧確認手段と、
前記電圧確認手段により前記通信回線の電圧が異常であると確認された場合は、回線異常として判断し、正常であると確認された場合は、前記ファクシミリ通信の確立失敗と判断する判断手段と
を具備する
ファクシミリ装置。
【請求項２】
通信先に対して選択信号を送信した後一定時間以内に該通信先との間にファクシミリ通信が確立できなかったことを検出する検出手段と、
前記検出手段により前記ファクシミリ通信が確立できなかったことを検出した場合は、前記通信先からの応答待ち状態となり、前記通信先との通信のみを受け付ける通信状態で前記通信回線の状態の検知を行う検知手段と
を具備し、
前記検知手段は、
前記通信回線の電圧の確認を行う電圧確認手段と、
前記電圧確認手段により前記通信回線の電圧が異常であると確認された場合はリレー回路にて外付け電話機側のコネクタに接続を変更して前記通信回線の電圧の再確認を行い、該再確認によっても前記通信回線の電圧が異常であると確認された場合は回線未接続と判断し、当該再確認により前記通信回線の電圧が正常であると確認された場合は回線誤接続と判断する判断手段と
を具備する
ファクシミリ装置。
【請求項３】
通信先に対して選択信号を送信した後一定時間以内に該通信先との間にファクシミリ通信が確立できなかったことを検出する検出手段と、
前記検出手段により前記ファクシミリ通信が確立できなかったことを検出した場合は、前記通信先からの応答待ち状態となり、前記通信先との通信のみを受け付ける通信状態で前記通信回線の状態の検知を行う検知手段と
を具備し、
前記検知手段は、
前記通信回線の電圧の確認を行う電圧確認手段と、
前記電圧確認手段により前記通信回線の電圧が正常であると確認された場合は、回線の再閉結後、発信音の検出を行い、発信音が検出できなかった場合は、前記ファクシミリ通信の確立失敗と判断する判断手段と
を具備する
ファクシミリ装置。
【請求項４】
通信先に対して選択信号を送信した後一定時間以内に該通信先との間にファクシミリ通信が確立できなかったことを検出する検出手段と、
前記検出手段により前記ファクシミリ通信が確立できなかったことを検出した場合は、前記通信先からの応答待ち状態となり、前記通信先との通信のみを受け付ける通信状態で前記通信回線の状態の検知を行う検知手段と
を具備し、
前記検知手段は、
前記通信回線の電圧の確認を行う電圧確認手段と、
前記電圧確認手段により前記通信回線の電圧が正常であると確認された場合は回線の再閉結後、選択信号を送出して発信音の検出を行い、当該発信音が検出できなかった場合は前記ファクシミリ通信の確立失敗と判断し、前記発信音が検出できた場合は回線設定間違いと判断する判断手段と
を具備する
ファクシミリ装置。
【請求項５】
通信先に対して選択信号を送信した後一定時間以内に該通信先との間にファクシミリ通信が確立できなかったことを検出する検出手段と、
前記検出手段により前記ファクシミリ通信が確立できなかったことを検出した場合は、前記通信先からの応答待ち状態となり、前記通信先との通信のみを受け付ける通信状態で前記通信回線の状態の検知を行う検知手段と
を具備し、
前記検知手段は、
前記通信回線の電圧の確認を行う電圧確認手段と、
前記電圧確認手段により前記通信回線の電圧が異常であると確認された場合は、リレー回路にて外付け電話機側のコネクタに接続を変更して前記通信回線の電圧の再確認を行い、前記通信回線の電圧が異常であると確認された場合は、回線未接続と判断し、正常であると確認された場合は、回線誤接続と判断する第１の判断手段と、
前記電圧確認手段により前記通信回線の電圧が正常であると確認された場合は、回線の再閉結後、発信音の検出を行い、発信音が検出できなかった場合は、前記ファクシミリ通信の確立失敗と判断する第２の判断手段と、
前記第２の判断手段により発信音が検出できた場合は選択信号を送出して発信音の再検出を行い、当該発信音が検出できなかった場合は前記ファクシミリ通信の確立失敗と判断し、前記発信音が検出できた場合は回線設定間違いと判断する第３の判断手段と
を具備する
ファクシミリ装置。
【発明の詳細な説明】
【技術分野】
【０００１】
本発明は、ファクシミリ装置および障害検出プログラムに関する。
【背景技術】
【０００２】
ダイヤル通信には、プッシュボタン方式とダイアルパルス方式があり、これらの方式を間違って電話機等に設定した場合には通信を行なうことができない。
【０００３】
特許文献１に開示された技術では、電話機の設定されたダイヤル種別と回線種別が不一致の場合に、異なる方式によって再度、ダイヤル番号の全桁を送出することによって、電話回線選択アダプタ装置から発呼されるダイヤル番号情報を電話回線の交換機が受け付けず通信不能となることを防止することを可能としている。
【先行技術文献】
【特許文献】
【０００４】
【特許文献１】特開２０００−３３２９２０号公報
【発明の概要】
【発明が解決しようとする課題】
【０００５】
本発明は、ファクシミリ通信に際して発生した障害をより詳細に特定することを可能とするファクシミリ装置および障害検出プログラムを提供することを目的とする。
【課題を解決するための手段】
【０００６】
上記目的を達成するため、請求項１の発明は、通信回線を捕捉して通信先に対して選択信号を送信した後一定時間以内に該通信先との間にファクシミリ通信が確立できなかった場合を検出する検出手段と、前記検出手段により前記ファクシミリ通信が確立できなかったことを検出した場合は、前記通信回線の捕捉状態で前記通信回線の状態の検知を行う検知手段とを具備する。
【０００７】
また、請求項２の発明は、請求項１の発明において、前記検知手段は、前記通信回線の電圧の確認を行う電圧確認手段と、前記電圧確認手段により前記通信回線の電圧が異常であると確認された場合は、回線異常として判断し、正常であると確認された場合は、前記ファクシミリ通信の確立失敗と判断する判断手段とを具備する。
【０００８】
また、請求項３の発明は、請求項１の発明において、前記検知手段は、前記通信回線の電圧の確認を行う電圧確認手段と、前記電圧確認手段により前記通信回線の電圧が異常であると確認された場合はリレー回路にて外付け電話機側のコネクタに接続を変更して前記通信回線の電圧の再確認を行い、該再確認によっても前記通信回線の電圧が異常であると確認された場合は回線未接続と判断し、当該再確認により前記通信回線の電圧が正常であると確認された場合は回線誤接続と判断する判断手段とを具備する。
【０００９】
また、請求項４の発明は、請求項１の発明において、前記検知手段は、前記通信回線の電圧の確認を行う電圧確認手段と、前記電圧確認手段により前記通信回線の電圧が正常であると確認された場合は、回線の再閉結後、発信音の検出を行い、発信音が検出できなかった場合は、前記ファクシミリ通信の確立失敗と判断する判断手段とを具備する。
【００１０】
また、請求項５の発明は、請求項１の発明において、前記検知手段は、前記通信回線の電圧の確認を行う電圧確認手段と、前記電圧確認手段により前記通信回線の電圧が正常であると確認された場合は回線の再閉結後、選択信号を送出して発信音の検出を行い、当該発信音が検出できなかった場合は前記ファクシミリ通信の確立失敗と判断し、前記発信音が検出できた場合は回線設定間違いと判断する判断手段とを具備する。
【００１１】
また、請求項６の発明は、請求項１の発明において、前記検知手段は、前記通信回線の電圧の確認を行う電圧確認手段と、前記電圧確認手段により前記通信回線の電圧が異常であると確認された場合は、リレー回路にて外付け電話機側のコネクタに接続を変更して前記通信回線の電圧の再確認を行い、前記通信回線の電圧が異常であると確認された場合は、回線未接続と判断し、正常であると確認された場合は、回線誤接続と判断する第１の判断手段と、前記電圧確認手段により前記通信回線の電圧が正常であると確認された場合は、回線の再閉結後、発信音の検出を行い、発信音が検出できなかった場合は、前記ファクシミリ通信の確立失敗と判断する第２の判断手段と、前記第２の判断手段により発信音が検出できた場合は選択信号を送出して発信音の再検出を行い、当該発信音が検出できなかった場合は前記ファクシミリ通信の確立失敗と判断し、前記発信音が検出できた場合は回線設定間違いと判断する第３の判断手段とを具備する。
【発明の効果】
【００１２】
本発明の請求項１によれば、ファクシミリ通信に際して発生した障害をより詳細に特定することが可能になるという効果を奏する。
【００１３】
また、請求項２によれば、ファクシミリ通信に際して発生した障害のうち通信ケーブルの接続状態における障害をより詳細に特定することが可能になるという効果を奏する。
【００１４】
また、請求項３によれば、ファクシミリ通信に際して発生した障害のうち通信ケーブルの接続状態における障害をより詳細に特定することが可能になるという効果を奏する。
【００１５】
また、請求項４によれば、ファクシミリ通信に際して発生した障害のうち通信ケーブルの接続状態、または、設定間違い以外における障害であることと切り分けることが可能になるという効果を奏する。
【００１６】
また、請求項５によれば、ファクシミリ通信に際して発生した障害のうち設定間違いにおける障害をより詳細に特定することが可能になるという効果を奏する。
【００１７】
また、請求項６によれば、ファクシミリ通信に際して発生した障害のうち通信ケーブルの接続状態、または、設定間違いをより詳細に特定することが可能になるという効果を奏する。
【図面の簡単な説明】
【００１８】
【図１】本発明の実施の形態におけるファクシミリ装置および障害検知プログラムを適用して構成したファクシミリ通信の構成図の一例。
【図２】本発明の実施の形態におけるファクシミリ装置の機能構成を示す図。
【図３】本発明の実施の形態におけるファクシミリ装置により行なわれる処理の流れを示すフローチャート。
【図４】本発明の実施の形態におけるファクシミリ装置により行なわれる処理の流れを示すフローチャートの他の例。
【発明を実施するための形態】
【００１９】
以下、本発明に係わるファクシミリ装置および障害検知プログラムの一実施例を添付図面を参照して詳細に説明する。
【実施例】
【００２０】
図１は、本発明の実施の形態におけるファクシミリ装置および障害検知プログラムを適用して構成したファクシミリ通信の構成図の一例である。
【００２１】
図１には、ファクシミリ装置１００、電話機２００、電話局に設けられた交換機３００を具備した構成が示されており、ファクシミリ装置１００には、電話機２００と接続する電話機接続口１１と、電話局に設けられた交換機３００を用いた公衆電話回線網（ＰＳＴＮ：Public Switched Telephone Networks）からの通信回線を接続する外部回線接続口１０とが設けられている。
【００２２】
このファクシミリ装置１００は、表示パネル等をユーザが操作することによりファクシミリ送信先のダイヤル番号を指定することで原稿を読み取った画像データを指定されたダイヤル番号に対する通信先へと転送するファクシミリ転送機能を有する。
【００２３】
このファクシミリ転送機能によりファクシミリ装置１００から転送された画像データは、通信回線を介して公衆電話回線網へと中継されて交換機３００に送信される。このとき、交換機３００では、指定されたダイヤル番号に対する通信先へと当該画像データを転送するためのルーティング（経路選択）を行ない、ルーティングされた経路上にある他の交換機３００若しくは通信先のファクシミリ装置へと画像データを転送する。
【００２４】
さらに、このファクシミリ装置１００では、通信切換機能（以下、「リレー機能」ともいう）を搭載しており、公衆電話回線網を介して電話機２００宛の電気信号を受信した場合には当該リレー機能によりその電気信号を電話機２００へとリレーすることで電話機２００による電話通話を可能とする。
【００２５】
ファクシミリ装置１００において、画像データをファクシミリ転送するために通信先のファクシミリ装置のダイヤル番号を指定してスタートボタンを押下するとダイヤル番号に基づく選択信号が生成されて通信先へと送出される。
【００２６】
これにより、ファクシミリ装置１００では、通信先からの応答待ち状態となり、ダイヤル番号に対する通信先との通信のみを受け付ける通信状態となる。これ以降、通信を捕捉した捕捉状態となることによって他のファクシミリ装置からの通信を排他する。
【００２７】
この通信状態において、通信先との間で通信（「通信セッション」ともいう）を確立できない「Ｔ１タイムアウト」を検出した場合、通信を捕捉した捕捉状態でその通信先との通信に用いる通信回線にかかる電圧を計測することによって確認する。
【００２８】
この電圧の確認において、一定量の電圧が計測できないことにより電圧が確認できない場合には、通信回線が破損している、通信回線が接続されていない、通信回線の接続口を間違っている等の通信回線自体に異常があることを検出して表示パネル等に表示する。これ以外にも、一定量の電圧が計測できない場合には、リレー機能により外付け電話機２００側のコネクタに切り換え、電話機２００側の通信回線における電圧を計測する。
【００２９】
通話に用いる通信回線から一定量の電圧が計測できたことにより電圧が確認できた場合には、上記の理由のうち、通信回線の接続口を間違っていることによる異常であることを検出する。
【００３０】
このようにして通信ができない状態で異常を検出すると、通信先との間で捕捉した状態を解放する。
【００３１】
また、通話に用いる通信回線から一定量の電圧が計測できない場合には、上記の理由のうち、通信回線が接続されていないことによる異常であることを検出する。
【００３２】
それに対して、ファクシミリ装置のファクシミリ転送に用いる通信回線から一定量の電圧が計測できた場合には、通信回線は使用できる状態にあるが何らかの理由で通信先との通信が確立できないことを検出して表示パネル等に表示する。この場合にも、さらに、回線の再閉結後、発信音（以下、「ダイヤルトーン」ともいう）を検出することができるかを判断し、発信音を検出できる場合には、ダイヤル番号の１桁以上（０〜９、※、♯のいずれか）の選択信号を通信先に送信してこのときの発信音が検出できるかを判断する。いずれの発信音も検出できない場合には、通信回線は使用できる状態にあるが何らかの理由で通信先との通信が確立できないことにより異常が発生していることを検出する。
【００３３】
なお、発信音として所定の周波数の信号を連続的に送出していることを検出する。
【００３４】
図２は、本発明の実施の形態におけるファクシミリ装置の機能構成を示す図である。
【００３５】
図２において、ファクシミリ装置は、通信部１０１、ファクシミリ通信制御部１０２、ユーザインターフェース１０３、通信状態管理部１０４、タイムアウト検出部１０５、電圧計測部１０６、異常検出制御部１０７、切換部１０８、ダイヤルトーン検出部１０９を具備して構成される。
【００３６】
ユーザインターフェース１０３は、表示ディスプレイや操作ボタンのほか表示パネル等により構成され、ユーザが操作ボタン等を用いてファクシミリ通信を行なう通信先のダイヤル番号を指定すると、その指定されたダイヤル番号の情報がファクシミリ通信制御部１０２に通知される。
【００３７】
ファクシミリ通信制御部１０２では、ユーザインターフェース１０３により通知されたダイヤル番号を電気信号へと変換した選択信号を生成し、通信部１０１を介して接続された公衆電話回線網へと転送する。
【００３８】
この通信部１０１は、通信インターフェースであって、ＲＪ−１１等のコネクタ形状からなる通信回線を接続する電話機接続口１１と外部回線接続口１０とが設けられている。電話機接続口１１には、電話機２００から伸びる通信回線を接続し、外部回線接続口１０には、電話局に設けられた交換機３００との公衆電話回線網をつなぐ通信回線を接続する。
【００３９】
ファクシミリ通信制御部１０２からのダイヤル番号に基づく選択信号を外部回線接続口１０から送信し、それに対する応答も外部回線接続口１０から受信する。
【００４０】
通信部１０１からダイヤル番号に基づく選択信号を送信すると、通信状態管理部１０４では、ダイヤル番号に対する通信先との間で通信状態にあることを管理する。すなわち、通信先との通信状態を捕捉し、当該通信回線を介して他のファクシミリ装置との通信を排他することとなる。
【００４１】
外部回線接続口１０を介してファクシミリ通信における応答が通信先からあった場合には、通信部１０１は、その旨をファクシミリ通信制御部１０２へと通知する。このとき、ファクシミリ通信制御部１０２では、ファクシミリ通信を行なう画像データを生成し、若しくは生成した状態にある画像データを通信先へとファクシミリ転送する。
【００４２】
それに対して、通信状態管理部１０４で通信が捕捉された状態を管理管理し、タイムアウト検出部１０５が、通信先との通信を確立することができない状態（以下、「Ｔ１タイムアウト」ともいう）を検出すると、異常検出制御部１０７へとＴ１タイムアウトを検出したことを通知する。
【００４３】
これにより、異常検出制御部１０７からの指示で電圧計測部１０６では、通信先との通信に用いる通信回線にかかる電圧を計測することにより確認する。この電圧計測部１０６では、例えば、ファクシミリ装置１００がオフフックとなることで交換機との間で直流のループ状態を形成し、このループ回路に流れるループ電流を計測することにより電圧を確認する。
【００４４】
これにより、電圧計測部１０６で、一定量の電圧を計測すると（電圧を確認すると）、異常検出制御部１０７に一定量の電圧を計測したことを通知する。このときダイヤルトーン検出部１０９では、ファクシミリ装置からの発信音（以下、「ダイヤルトーン」ともいう）を検出することができるかを判断し、この発信音を検出できる場合には、ダイヤル番号の１桁以上（０〜９、※、♯のいずれか）の選択信号を通信先に送信し、さらにこのときの発信音が検出できるかを判断する。
【００４５】
そして、検出結果を異常検出制御部１０７へと通知する。
【００４６】
この異常検出制御部１０７では、ダイヤルトーン検出部１０９からの検出結果が、いずれの発信音も検出できない場合には、通信回線は使用できる状態にあるが何らかの理由で通信先との通信が確立できないことにより異常が発生していることを検出する。そして、ユーザインターフェース１０３の表示ディスプレイにその旨を表示する。
【００４７】
それに対して、電圧計測部１０６で、一定量の電圧を計測しない場合には、切換部１０８にその旨を通知する。このとき、切換部１０８は、通信部１０１に接続された電話機２００側のコネクタに切り換える。これにより、電話機２００側のコネクタによる計測が可能となる。
【００４８】
このようにして切り換えが行なわれると、切換部１０９は、電圧計測部１０６に電話機２００側のコネクタに切り換えたことを通知する。
【００４９】
これによって、電圧計測部１０６では、一定時間の電圧安定時間を待ち、電話機の通信による通信回線の電圧が安定することによって、電話機２００の通信回線にかかる電圧の計測する。
【００５０】
そして、電圧計測部１０６では、この計測結果を異常検出制御部１０７へと通知する。
【００５１】
異常検知制御部１０７では、電圧計測部１０６から通知された測定結果を元に、一定量の電圧が計測されたかを判断する。一定量の電圧が計測されたと判断する場合には、通信回線が誤接続されていることによる通信異常であることを検出する。また、一定量の電圧が計測されないと判断する場合には、通信回線が未接続であることによる通信異常であることを検出する。
【００５２】
このとき、異常検出制御部１０７は、ユーザインターフェース１０３の表示ディスプレイに検出した異常を表示する。例えば、検出した異常が、通信回線が誤接続されていることである場合には、「接続口を間違って接続していないかを確認して下さい。」等のメッセージを表示する。このほか、検出した異常が、通信回線が未接続である場合には、「通信回線が接続口に接続されていない可能性があります。」等のメッセージを表示する。
【００５３】
このようにして、異常検出制御部１０７により異常が検出されて表示ディスプレイに表示すると、異常検出制御部１０７は、通信状態管理部１０４に対して異常検出を行なったことを通知する。
【００５４】
これを受信した通信状態管理部１０４では、管理している通信先との通信の捕捉状態を解除する。
【００５５】
図３は、本発明の実施の形態におけるファクシミリ装置により行なわれる処理の流れを示すフローチャートである。
【００５６】
図３において、ユーザがファクシミリ装置のダイヤルボタンを操作すると処理が開始され、ダイヤルボタンによってファクシミリ通信の通信先を指定するダイヤル番号を指定したかを判断し（３０１）、ダイヤル番号が指定された場合（３０１でＹＥＳ）には、そのダイヤル番号に基づいた電気信号である選択信号を通信回線を介して通信先へ向けて送信することで通信先との通信状態を捕捉する（３０２）。
【００５７】
このとき、選択信号は、通信回線を通じて電話局の交換機へと送信され、交換機によるルーティングを経てダイヤル番号に対応する通信先へと送信される。
【００５８】
この選択信号を送信したことにより通信先から通信応答が行われることでこれを受信したかを判断し（３０３）、通信応答を受信した場合（３０３でＹＥＳ）には、通信先との間で通信確立を行ない、ファクシミリ通信を行なう（３０４）。
【００５９】
それに対して、通信先から通信応答を受信しない場合（３０３でＮＯ）には、通信先との通信を確立することができないこと（以下、「Ｔ１タイムアウト」ともいう）を検出する（３０５）。
【００６０】
このとき、選択信号を送信した通信回線にかかる電圧を計測し（３０６）、一定量の電圧が計測されたかを判断する（３０７）。一定量の電圧が計測されない場合（３０７でＮＯ）には、回線接続異常以外の理由で通信先と通信が確立できないことを検出する（３０９）。
【００６１】
それに対して、一定量の電圧を計測した場合（３０７でＹＥＳ）には、回線接続に異常が発生していることを検出する（３０８）。このときの回線接続の異常とは、例えば、通信ケーブルが未接続であることによる通信異常であるほか、誤接続されていることによる通信異常である。
【００６２】
このようにして通信異常を検出すると、これをユーザインターフェースの表示ディスプレイに表示するなどした後に、通信先との間で捕捉している捕捉状態を解放する（３１０）。
【００６３】
図４は、本発明の実施の形態におけるファクシミリ装置により行なわれる処理の流れを示すフローチャートの他の例である。
【００６４】
図４において、ユーザがファクシミリ装置のダイヤルボタンを操作すると処理が開始され、ダイヤルボタンによってファクシミリ通信の通信先を指定するダイヤル番号を指定したかを判断し（４０１）、ダイヤル番号が指定された場合（４０１でＹＥＳ）には、そのダイヤル番号に基づいた電気信号である選択信号を通信回線を介して通信先へ向けて送信することで通信先との通信状態を捕捉する（４０２）。
【００６５】
このとき、選択信号は、通信回線を通じて電話局の交換機へと送信され、交換機によるルーティングを経てダイヤル番号に対応する通信先へと送信される。
【００６６】
この選択信号を送信したことにより通信先から通信応答が行われることでこれを受信したかを判断し（４０３）、通信応答を受信した場合（４０３でＹＥＳ）には、通信先との間で通信確立を行ない、ファクシミリ通信を行なう（４０４）。
【００６７】
それに対して、通信先から通信応答を受信しない場合（４０３でＮＯ）には、通信先との通信を確立することができないこと（以下、「Ｔ１タイムアウト」ともいう）を検出する（４０５）。
【００６８】
このとき、選択信号を送信した通信回線にかかる電圧を計測し（４０６）、一定量の電圧が計測されたかを判断する（４０７）。一定量の電圧が計測されない場合（４０７でＮＯ）には、通信回線を介した通信先への通信を、外付けされた電話機からの通信に切り換える（４０８）。すなわち、ファクシミリ装置による通信を「オンフック」として、それに代わって電話機による通信を「オフフック」する。
【００６９】
このとき、電話機の通信による通信回線の電圧が安定するまでの電圧安定時間、例えば１秒、５秒を経過したかを判断し（４０９）、電圧安定時間を経過するまでは（４０９でＮＯ）は電圧が安定するまで待機する。また、電圧安定時間を経過したとき（４０９でＹＥＳ）には、電話機の通信による通信回線にかかる電圧を計測する（４１０）。
【００７０】
これにより電話機の通信による通信回線から一定量の電圧を計測することができたかを判断し（４１１）、一定量の電圧を計測した場合（４１１でＹＥＳ）には、通信回線ケーブルが誤接続されていることによる通信異常であることを検出する（４１３）。
【００７１】
また、一定の電圧が計測されない場合（４１１でＮＯ）には、通信ケーブルが未接続であることによる通信異常であることを検出する（４１３）。
【００７２】
このようにして通信異常を検出すると、これをユーザインターフェースの表示ディスプレイに表示するなどした後に、通信先との間で捕捉した捕捉状態を解放する（４１４）。
【００７３】
これに対して、選択信号を送信した通信回線にかかる電圧を計測する処理（４０６）で、一定量の電圧が計測されたと判断する場合（４０７でＹＥＳ）には、続いて、回線の閉結後、発信音（「ダイヤルトーン」ともいう）を検出したかを判断する（４１５）。
【００７４】
ダイヤルトーンを検出した場合（４１５でＹＥＳ）には、１桁（０（ゼロ）〜９のいずれかの番号）の選択信号を送信する（４１６）。続いて、再度、ダイヤルトーンを検出したかを判断する（４１７）。このとき、再びダイヤルトーンを検出することができた場合（４１７でＹＥＳ）には、ファクシミリ通信に用いる信号の形式の設定が異常であることを検出する（４１８）。
【００７５】
すなわち、ファクシミリ通信に用いる信号の形式をＤＰ（ＤｉａｌＰｕｌｓｅ）信号と設定するところをＰＢ（ＰｕｓｈＢｕｔｔｏｎ）信号と設定した場合や、反対に、ＰＢ信号と設定するところをＤＰ信号と設定した場合などによって異常が発生していることを検出する。
【００７６】
また、いずれのダイヤルトーンの検出処理において検出されないと判断した場合（４１５でＮＯもしくは４１７でＮＯ）には、回線接続異常以外の理由で通信先と通信が確立できないことを検出する（４１９）。
【００７７】
以上に示す実施の形態は、本発明の実施の一形態であって、これらの実施例に限定することなく、その要旨を変更しない範囲内で適宜変形して実施できるものである。
【００７８】
なお、本発明は、通信機能を備えた画ファクシミリ通信で上述の動作を実行させ、あるいは上述の手段を構成させるためのプログラムを格納した記録媒体（ＣＤ−ＲＯＭ、ＤＶＤ−ＲＯＭ等）から該プログラムをコンピュータにインストールし、これを実行させることにより、上述の処理を実行するファクシミリ通信システムを構成することも可能である。ファクシミリ通信を構成するコンピュータは、システムバスを介してＣＰＵ（Central Processor Unit）、ＲＯＭ（Read Only Memory）、ＲＡＭ（Random Access Memory）、ハードディスクが接続されている。ＣＰＵは、ＲＯＭまたはハードディスクに記憶されているプログラムに従い、ＲＡＭを作業領域にして処理を行う。
【００７９】
また、プログラムを供給するための媒体は、通信媒体（通信回線、通信システムのように一時的または流動的にプログラムを保持する媒体）でもよい。例えば、通信ネットワークの電子掲示板（ＢＢＳ：Bulletin Board Service）に該プログラムを掲示し、これを通信回線を介して配信するようにしてもよい。
【符号の説明】
【００８０】
１０        外部回線接続口
１１        電話機接続口
１００      ファクシミリ装置
１０１      通信部
１０２      ファクシミリ通信制御部
１０３      ユーザインターフェース
１０４      通信状態管理部
１０５      タイムアウト検出部
１０６      電圧計測部
１０７      異常検出制御部
１０８      切換部
１０９      ダイヤルトーン検出部
２００      電話機
【図１】
0005522453.tif 000002
【図２】
0005522453.tif 000003
【図３】
0005522453.tif 000004
【図４】
0005522453.tif 000005